(57)【要約】　　　（修正有）【課題】髭剃りの洗浄のように水道の蛇口から出る水を使った洗浄を行う際に、水の使用量を少なくしても短時間で綺麗に洗浄することができ、周囲を濡らしにくい手段を提供する。【解決手段】水道の蛇口開口部に被せることができるカップ部（１）と、カップ部（１）の内側に装着され使用時に前記蛇口開口部と当接するパッキング部材（３）と、カップ部（１）内に入った水を吐出するためのノズル部（２）とを備えた蛇口用アダプタ。【選択図】　　図２
0003097696.tif 000002
【実用新案登録請求の範囲】
【請求項１】
水道の蛇口開口部に被せることができるカップ部と、
該カップ部の内側に装着され使用時に前記蛇口開口部と当接するパッキング部材と、
該カップ部内に入った水を吐出するためのノズル部とを備えた
ことを特徴とする蛇口用アダプタ。
【請求項２】
蛇口に着脱可能に保持可能な保持手段を備えていることを特徴とする請求項１記載の蛇口用アダプタ。
【請求項３】
前記カップ部に水抜き孔が設けられていることを特徴とする請求項１又は請求項２記載の蛇口用アダプタ。
【考案の詳細な説明】
【０００１】
【考案の属する技術分野】
本考案は、水道の蛇口に取り付けて使用するアダプタに関するものであり、特に髭剃り等の洗浄に適した物に関する。
【０００２】
【従来の技術】
髭剃りとしてはカミソリ刃を備えた手動の髭剃り（レザー）と、電動式の髭剃り（シェイバー）がある。
【０００３】
手動の髭剃りは、把手の端部に交換可能なカートリッジを取り付けて用いるものが殆どであり、カートリッジに備えられている刃は近年では２枚刃や３枚刃のものが一般的である。
【０００４】
２枚刃又は３枚刃を採用しているのは、１度のストロークで複数の刃によって深剃りをするためである。
【０００５】
このカートリッジは交換可能であるが、通常は複数回使用して刃の切れ味が低下したと感じたときに交換される。つまり、１つのカートリッジを複数回利用することになる。
【０００６】
カートリッジに髭屑が残っていると切れ味が悪くなるだけでなく不衛生になりやすいので、使用後は水道の水で洗い流すように洗浄する。ところが、２枚刃又は３枚刃の場合は刃相互間に髭屑が詰まりやすく、刃の間に詰まった髭屑は洗い流すことが容易ではない。そのため、刃の切れ味が落ちる前にカートリッジを交換しなくてはならないのが実情である。
【０００７】
洗浄が容易でないのは電動式の髭剃りでも同様である。電動式の髭剃りは、肌に触れる網状の網刃と、網刃の内側で回転又は往復運動する可動刃とを有している。そして網刃の目の間から内側に入り込んだ髭を網刃と可動刃とで挟み込むようにして切断する。
【０００８】
一般的な可動刃は平行に配置された複数の刃を有しており、その刃相互間に切断した髭の屑がたまりやすい。又、網刃の編み目にも髭の屑が付着する。
【０００９】
電動式の髭剃りの場合も刃に髭屑が付着すると切れ味が低下し、不衛生にもなりやすい。そこで、髭剃りの度、又は定期的に網刃を外して可動刃を露出させ、ブラシを使って掃除する。具体的には可動刃の刃相互間や網刃の編み目に付着している髭屑をブラシで掃き出すことにより髭屑を取り除く。
【００１０】
しかしブラシで掃き出すように掃除するのは面倒であり、掃き出した髭屑が飛び散って洗面所やその周囲を汚すことが多い。
【００１１】
そこで最近の電動式髭剃りでも水をかけて髭屑を洗い流すことができるタイプの物が普及してきている。しかし、可動刃の刃の間や網刃の編み目に詰まった髭屑を短時間できれいに洗い流すことは難しい。
【００１２】
このように手動，電動式を問わず水洗が難しいのは水の勢いが弱いことが第１の原因であると考えられる。そこで、水道の蛇口を大きく開栓して勢いのある水流により洗浄することも考えられるが、大量の水を消費するので勿体ないだけでなく、勢いよく飛び出た多量の水が洗面台の洗面ボールに当たって跳ね返り、洗面台の周囲を濡らしてしまうという問題がある。しかも、強い水流を作り出している割には洗浄の効率が良くなく洗浄に時間がかかる。
【００１３】
なぜ強い水流でもうまく洗浄できないかを観察すると、水流が広い範囲に当たっていることが原因であることに気がついた。つまり、髭屑は水流に当たって一旦刃の間から押し出されようとするが、出ようする箇所の周囲に当たった水流が髭屑を再び刃の間に押し戻してしまう様子が観察される。
【００１４】
【考案が解決しようとする課題】
そこで本考案は髭剃りの洗浄のように水道の蛇口から出る水を使った洗浄を行う際に、水の使用量を少なくしても短時間で綺麗に洗浄することができ、しかも周囲を濡らしにくい手段を提供することを課題とする。
【００１５】
【課題を解決するための手段】
本考案の請求項１記載の蛇口用アダプタは、水道の蛇口（１０）開口部（１０ａ）に被せることができるカップ部（１）と、該カップ部（１）の内側に装着され使用時に前記蛇口開口部（１０ａ）と当接するパッキング部材（３）と、該カップ部（１）内に入った水を吐出するためのノズル部（２）とを備えたことを特徴とする。
【００１６】
これによれば、蛇口（１０）から出た水は蛇口用アダプタのカップ部（１）に入り、径の細いノズル部（２）から吐出される。ノズル部（２）により絞り込まれた水は細く強い水流となるため、髭剃り等の洗浄対象物に水流を当てると効果的に洗浄することができる。
【００１７】
請求項２記載の蛇口用アダプタは請求項１の蛇口用アダプタにおいて、蛇口（１０）に着脱可能に保持可能な保持手段（４）を備えていることを特徴とする。
【００１８】
これによれば、蛇口用アダプタは保持手段（４）によって蛇口（１０）に取り付けられるため、利用者が手で保持し続けなくても使用することができる。
【００１９】
請求項３記載の蛇口用アダプタは請求項１又は請求項２の蛇口用アダプタにおいて、前記カップ部（１）に水抜き孔（７）が設けられていることを特徴とする。
【００２０】
これによれば、水道の蛇口開口部（１０ａ）とパッキング部材（３）との隙間から出てきた水をカップ部（１）に設けられた水抜き孔（７）から外部に逃がすことができる。そして、水抜き孔（７）の向きを調整することにより利用者や周囲が濡れてしまうことを防止することができる。
【００２１】
【考案の実施の形態】
以下、本考案を好適な実施例を用いて説明する。
【００２２】
［実施例１］
図１は本実施例の蛇口アダプタの基本構成を示した図であり、図２はその断面図である。図中において（１）はカップ部であり、一番的な水道蛇口の開口部外径よりも大きな内径を有している。
【００２３】
カップ部（１）の先端には径が細いノズル部（２）が備えられている。また、カップ部（１）の内側にはリング状のパッキング部材（３）が備えられており、装着時に水道の蛇口開口部（１０ａ）と当接する。パッキング部材（３）の材質としてはゴムや弾性のある合成樹脂等が好適である。
【００２４】
尚、本実施例ではパッキング部材（３）は１つの通孔（３ａ）を有したリング状としたが、水が通るための通孔の数や形状は特に限定されるものではなく、例えば複数の通孔を備えたものであってもよい。
【００２５】
使用に際してはカップ部（１）を蛇口の開口部に被せ、パッキング部（２）が蛇口（１０）の開口部（１０ａ）に当接するように押しつけた状態で保持する。
【００２６】
その状態で蛇口（１０）のコック（栓）をまわすと、蛇口（１０）の開口部（１０ａ）から出てきた水はカップ部（１）内に入る。蛇口（１０）の開口部（１０ａ）はカップ部（１）内に配されたパッキング部材（３）と当接しているため、カップ部（１）内に入った水の殆どはパッキング部材（３）の中央部に設けられている通孔（３ａ）を通ってノズル部（２）に導かれ、その先端の吐出口（２ａ）から吐出される。
【００２７】
吐出口（２ａ）の径は蛇口（１０）の開口部（１０ａ）の径より十分に細いため、ノズル部（２）から吐出される水流は細いが勢いのある水流となる。
【００２８】
ノズル部（２）の径や形状は適宜定めればよく図示した物に限定されるものではない。例えば、フレキシブルで吐出方向を変更できるような構造としても良い。又、本実施例では簡単な構造とするためにカップ部（１）とノズル部（２）とを一体成形としたが、必要なら別の部材として製作した後に結合させるようにしてもよい。
【００２９】
髭剃りの刃にノズル部（２）から吐出される細く勢いのある水流を当てると、髭剃りに付着している髭屑が水流に押し流される。
【００３０】
水流の勢いが強いので髭屑を押し出す力が強くなると共に、水流が狭い面積に当たるため髭屑が刃の間から効率よく押し出され、短時間で効率よく髭剃りを洗浄することができる。しかも使用する水量も従来より大幅に少なくすることができ、無駄がない。
【００３１】
洗浄が必要な箇所に水流を当てるために本実施例では水の吐出方向を変えることなく髭剃り移動させるようにしたが、必要ならノズル部（２）をフレキシブルにしてノズル部（２）から吐出される水の方向を変えることも考えられる。
【００３２】
本考案の蛇口用アダプタは小さく持ち運びも容易であるため、旅行や出張等に持って行くこともできる。
【００３３】
［実施例２］
実施例１ではアダプタを使用する際に水道の蛇口（１０）に片手で保持したが、洗浄中は保持し続ける必要がある。短時間であるので片手で支え続けてもさほど不便は感じないが、洗浄中に両手を使いたいと思う利用者や保持し続けることを億劫に思う利用者もいると思われる。
【００３４】
そこで、本実施例はアダプタ自体の基本構成は同様であるが、手で保持しなくても蛇口（１０）に装着し続けることができるようにした。
【００３５】
図３に本実施例を蛇口（１０）に装着した様子を示した図である。蛇口（１０）に装着するための手段としては帯状のゴム（４）を用いた。帯状ゴム（４）の一端は予めアダプタに固定されている。本実施例では帯状ゴム（４）の一方の端に固定用孔（５）が設けられており、その固定用孔（５）にノズル部（２）を貫通させることにより帯状ゴム（４）をアダプタに固定している。
【００３６】
帯状ゴム（４）の他端側には取付孔（６）が設けられている。アダプタを蛇口（１０）に当てて片手で保持して状態で帯状ゴム（４）を蛇口に巻く。そして、取付孔（６）にノズル部（２）を貫通させることにより帯状ゴム（４）の端部を固定する。
【００３７】
これにより帯状ゴム（４）はアダプタと蛇口（１０）を一緒に抱きかかえるような状態となり、アダプタは帯状ゴム（４）によって蛇口（１０）に保持される。
【００３８】
取付孔（６）を複数箇所に設けておけば、大きさや形状の異なる蛇口に装着しやすくなる。利用者はアダプタを手で保持し続ける必要がないので、両手を使って作業をすることができる。その他の効果は実施例１と同様である。
【００３９】
尚、保持手段として帯状ゴム（４）を用いた例を説明したが、他の保持手段、例えば面ファスナー，磁石，吸盤等を利用した保持手段を採用しても良い。只、着脱が容易な保持手段を用いることが好ましく、「ドライバー」や「スパナ」等の工具を使わなくても着脱可能な構成にしておくと利用しやすい。
【００４０】
［実施例３］
本実施例も基本的な構成は上記の各実施例と同様であるが、カップ部材に水抜きのための水抜き孔（７）を設けていることが異なる。図４は本実施例の基本構成を示した図である。
【００４１】
水量が多すぎる場合、ノズルで吐出量を絞っていることに起因してアダプタ内の水圧が大きくなる。するとアダプタは水圧により蛇口開口部（１０ａ）から離れる方向に力を受け、蛇口開口部（１０ａ）とパッキング部材（３）との間に隙間が生じる。すると、その隙間から出た水が周囲に飛び散る可能性がある。飛び散る方向は決まっていないため、使用者自身が濡れてしまうこともある。
【００４２】
そこで本実施例ではカップ部（１）に水抜きのための孔（７）を設けた。図４は本実施例の基本構成を示した図である。
【００４３】
水圧が大きくなり蛇口開口部（１０ａ）とパッキング部材（３）との隙間から水が出てきても、カップ部（１）に設けられた水抜き孔（７）から水を逃がすことができる。
【００４４】
しかも水が出ていく方向を特定することができるため、水抜き孔（７）の位置を水が飛んでも支障ない方向に向けておけば、使用者や床が飛び出した水で濡れてしまうことを防止することができる。
【００４５】
上記の各実施例は髭剃りの洗浄を例にとって説明したが、細くて強い水流が必要な他の用途、例えば歯ブラシの洗浄や爪先の洗浄等に用いても良い。
【００４６】
【考案の効果】
以上述べたように本考案により、蛇口に付けるだけで簡単に細く強い水流を作り出すことができ、少ない水量で効率よく髭剃り等の洗浄を行うことができる。そのため、髭剃りを衛生的に保ち、刃の切れ味が落ちるのを防止することができる。カートリッジ式の刃を使う場合でも、カートリッジが長持ちするので交換の頻度が少なくなり経済的である。
【図面の簡単な説明】
【図１】実施例１の基本構成を示した図。
【図２】実施例１の断面図。
【図３】実施例２を蛇口に装着した状態を示した図。
【図４】実施例３の基本構成を示した図。
【符号の説明】
（１）　　カップ部
（２）　　ノズル部
（２ａ）　ノズル部の先端（吐出口）
（３）　　パッキング部材
（４）　　帯状ゴム
（５）　　　　帯状ゴムの固定用孔
（６）　　　　帯状ゴムの取付孔
（７）　　水抜き孔
（１０）　水道の蛇口
（１０ａ）　　蛇口の開口部
【図１】
0003097696.tif 000003
【図２】
0003097696.tif 000004
【図３】
0003097696.tif 000005
【図４】
0003097696.tif 000006